(57)【要約】【課題】  施工現場において、納品された個々の建材ごとの建材情報を、容易かつ正確に読み出せるようにする。【解決手段】  出荷場所１０で建材Ａを出荷する際に、当該建材Ａに関する建材情報ａを書き込んだ建材用ＩＣタグＡＴを添付した状態で出荷する。物流拠点２０に集まってきた建材Ａ，Ｂ，Ｃを、同一パレットＰに収容して搬出する際に、各建材のそれぞれについての建材用ＩＣタグＡＴ，ＢＴ，ＣＴ内の建材情報ａ，ｂ，ｃを読み出し、これらをまとめてパレット用ＩＣタグＰＴに書き込む。パレットＰは、パレット用ＩＣタグＰＴを添付した状態で搬出する。施工現場３０にパレットＰが搬入されたら、パレット用ＩＣタグＰＴ内の情報を読み出すだけで、搬入されたすべての建材Ａ，Ｂ，Ｃについての建材情報ａ，ｂ，ｃを入手することができる。【選択図】  図１
2006099165.tif 000002
【特許請求の範囲】
【請求項１】
個々の建材ごとの建材情報を、物流機構を介して施工現場へと提供する建材情報提供システムであって、
個々の建材に添付する建材用ＩＣタグと、
前記建材用ＩＣタグに、添付対象となる建材に関する建材情報を書き込む処理を行う建材情報書込装置と、
複数の建材を収容するパレットに添付するためのパレット用ＩＣタグと、
同一パレットに収容される複数の建材のそれぞれについての建材用ＩＣタグ内の建材情報を読み出す機能と、読み出した複数の建材情報をまとめて、パレット用ＩＣタグに書き込む機能と、を備えた建材情報中継装置と、
前記パレット用ＩＣタグ内の複数の建材情報を読み出す建材情報読出装置と、
を備えることを特徴とする建材情報提供システム。
【請求項２】
請求項１に記載の建材情報提供システムにおいて、
建材情報中継装置が、複数の建材用ＩＣタグと無線交信することにより建材情報を読み出す機能を有し、交信強度が所定レベル以上の建材用ＩＣタグを、同一パレットに収容される建材についてのＩＣタグと認識することを特徴とする建材情報提供システム。
【請求項３】
個々の建材ごとの建材情報を、物流機構を介して施工現場へと提供する建材情報提供システムであって、
個々の建材に添付する建材用ＩＣタグと、
前記建材用ＩＣタグに、添付対象となる建材に関する建材情報を書き込む処理を行う建材情報書込装置と、
複数の建材を収容するパレットに添付して用い、当該パレットに収容される建材に関する建材情報を格納するためのパレット用ＩＣタグと、
前記パレット用ＩＣタグ内の建材情報を読み出す建材情報読出装置と、
を備え、
前記パレット用ＩＣタグは、同一パレットに収容される建材のそれぞれについての建材用ＩＣタグと交信し、交信相手となった建材用ＩＣタグ内の建材情報を読み出し、読み出した複数の建材情報をまとめて格納する機能を有することを特徴とする建材情報提供システム。
【請求項４】
請求項３に記載の建材情報提供システムにおいて、
パレット用ＩＣタグが、複数の建材用ＩＣタグと無線交信することにより建材情報を読み出す機能を有し、交信強度が所定レベル以上の建材用ＩＣタグを、同一パレットに収容される建材についてのＩＣタグと認識することを特徴とする建材情報提供システム。
【請求項５】
個々の建材に添付されている建材用ＩＣタグに格納された建材情報を中継するための装置であって、
所定の無線交信範囲に存在する建材用ＩＣタグからそれぞれの建材情報を読み出す情報読出部と、
特定のパレット用ＩＣタグに対して、前記情報読出部が読み出した複数の建材情報をまとめて書き込む情報書込部と、
を備えることを特徴とする建材情報中継装置。
【請求項６】
複数の建材を収容して運搬するための建材運搬用具であって、
建材を物理的に収容するための収容構造を備えたパレットと、
前記パレットに添付され、前記パレットに収容された複数の建材についての建材情報が格納されたパレット用ＩＣタグと、
を備えることを特徴とする建材運搬用具。
【請求項７】
個々の建材ごとの建材情報を、物流機構を介して施工現場へと提供する建材情報提供方法であって、
出荷場所で、個々の建材を当該建材に関する建材情報を書き込んだ建材用ＩＣタグを添付した状態で出荷する段階と、
物流拠点で、複数の建材を同一パレットに収容する作業を行う際に、当該パレットに収容される複数の建材のそれぞれについての建材用ＩＣタグ内の建材情報を読み出し、読み出した複数の建材情報をまとめてパレット用ＩＣタグに書き込み、前記パレットを前記パレット用ＩＣタグを添付した状態で施工現場へと搬出する段階と、
施工現場で、前記パレット用ＩＣタグ内の複数の建材情報を読み出す段階と、
を有することを特徴とする建材情報提供方法。
【請求項８】
請求項７に記載の建材情報提供方法において、
物流拠点で、建材情報の読み出しが完了した建材用ＩＣタグを、建材から取り外し、これを出荷場所で再利用することを特徴とする建材情報提供方法。
【発明の詳細な説明】
【技術分野】
【０００１】
本発明は、個々の建材ごとの建材情報を、物流機構を介して施工現場へと提供する技術に関し、特に、ＩＣタグを利用して、建材情報の提供を行う技術に関する。
【背景技術】
【０００２】
建築の施工現場では、必要な建材が決められた納期に搬入されないと、工事の遅延が生じることになる。しかも、建材の種類や点数は極めて多く、発注先となるメーカーも様々である。このため、施工図面に記載された部品表に基づいて、工事日程や人員手配の状況を把握しながら、必要な建材を発注し、施工現場において、発注した建材の搬入を確認する作業は非常に重要である。
【０００３】
そこで、このような建材の物流を、デジタル技術を用いて管理する手法が提案されている。たとえば、下記の特許文献１には、インターネットを利用したオンラインシステムにより、顧客が建材メーカーに対して必要な建材の発注を行うと、物流業者に対して発注情報が自動的に伝達され、この物流業者から建材の発送が直接行われる技術が開示されている。また、最近では、個々の建材にＩＣタグを添付して出荷するようにし、このＩＣタグに、それぞれ必要な建材情報を記録しておき、物流拠点や施工現場において、これを読み取ることにより、物流管理を行う手法も提案されている。たとえば、下記の特許文献２には、防湿性の合成樹脂フィルム包装袋にＩＣタグを装填し、この包装袋を建材に取り付け、ＩＣタグ内に当該建材に関する種々の情報を記録する技術が開示されている。このＩＣタグに、個々の建材の建材情報（たとえば、メーカー名、製品名、型番、製造番号、流通経路、出荷日、材質などを示す情報）を記録しておくようにすれば、この建材情報を、個々の物流拠点や施工現場で読み出して利用することが可能になる。
【特許文献１】特開２００２−９２５９３号公報
【特許文献２】特開２００４−３７９０２号公報
【発明の開示】
【発明が解決しようとする課題】
【０００４】
上述したオンラインシステムにより建材の物流を管理する方法では、個々の建材に、バーコードなどの識別票を取り付けておき、施工現場に集まった個々の建材の識別票を読み取ることにより、納品された建材に関する情報をオンラインで得ることができる。ところが、バーコードなどの識別票を貼り付ける場所は、個々の建材ごとに様々であり、１つ１つの建材ごとに、それぞれ識別票を読み取る作業は非常に労力を必要とする作業になる。そこで、上述したように、個々の建材にＩＣタグを添付する管理手法が提案されている。ＩＣタグに記録されている情報は、無線を利用して読み出すことができるため、バーコードに対する読み取り作業に比べて、読み出し作業が比較的容易である。
【０００５】
しかしながら、施工現場には、多数の建材がパレットに収容されて納品されるのが一般的であり、このパレットに収容された個々の建材にそれぞれ添付されたＩＣタグの情報を漏れなく読み出すことは、実用上、困難な場合が少なくない。これは、施工現場で用いられるＩＣタグ用の情報読出装置は、通常、小型で安価なものが多く、パレットに収容されたままの状態あるいは施工現場という劣悪な環境下に積載された状態では、多数のＩＣタグの情報のすべてを正確に読み出すことが困難なためである。
【０００６】
そこで本発明は、施工現場において、納品された個々の建材ごとの建材情報を、容易かつ正確に読み出すことが可能な建材情報提供システムおよび提供方法を実現することを目的とする。
【課題を解決するための手段】
【０００７】
(1)   本発明の第１の態様は、個々の建材ごとの建材情報を、物流機構を介して施工現場へと提供する建材情報提供システムにおいて、
個々の建材に添付する建材用ＩＣタグと、
この建材用ＩＣタグに、添付対象となる建材に関する建材情報を書き込む処理を行う建材情報書込装置と、
複数の建材を収容するパレットに添付するためのパレット用ＩＣタグと、
同一パレットに収容される複数の建材のそれぞれについての建材用ＩＣタグ内の建材情報を読み出す機能と、読み出した複数の建材情報をまとめて、パレット用ＩＣタグに書き込む機能と、を備えた建材情報中継装置と、
パレット用ＩＣタグ内の複数の建材情報を読み出す建材情報読出装置と、
を設けるようにしたものである。
【０００８】
(2)   本発明の第２の態様は、上述の第１の態様に係る建材情報提供システムにおいて、
建材情報中継装置が、複数の建材用ＩＣタグと無線交信することにより建材情報を読み出し、交信強度が所定レベル以上の建材用ＩＣタグを、同一パレットに収容される建材についてのＩＣタグと認識するようにしたものである。
【０００９】
(3)   本発明の第３の態様は、個々の建材ごとの建材情報を、物流機構を介して施工現場へと提供する建材情報提供システムにおいて、
個々の建材に添付する建材用ＩＣタグと、
この建材用ＩＣタグに、添付対象となる建材に関する建材情報を書き込む処理を行う建材情報書込装置と、
複数の建材を収容するパレットに添付して用い、当該パレットに収容される建材に関する建材情報を格納するためのパレット用ＩＣタグと、
パレット用ＩＣタグ内の建材情報を読み出す建材情報読出装置と、
を設け、
パレット用ＩＣタグが、同一パレットに収容される建材のそれぞれについての建材用ＩＣタグと交信し、交信相手となった建材用ＩＣタグ内の建材情報を読み出し、読み出した複数の建材情報をまとめて格納する処理を行うようにしたものである。
【００１０】
(4)   本発明の第４の態様は、上述の第３の態様に係る建材情報提供システムにおいて、
パレット用ＩＣタグが、複数の建材用ＩＣタグと無線交信することにより建材情報を読み出し、交信強度が所定レベル以上の建材用ＩＣタグを、同一パレットに収容される建材についてのＩＣタグと認識するようにしたものである。
【００１１】
(5)   本発明の第５の態様は、個々の建材に添付されている建材用ＩＣタグに格納された建材情報を中継するための建材情報中継装置を、
所定の無線交信範囲に存在する建材用ＩＣタグからそれぞれの建材情報を読み出す情報読出部と、
特定のパレット用ＩＣタグに対して、情報読出部が読み出した複数の建材情報をまとめて書き込む情報書込部と、
によって構成するようにしたものである。
【００１２】
(6)   本発明の第６の態様は、複数の建材を収容して運搬するための建材運搬用具を、
建材を物理的に収容するための収容構造を備えたパレットと、
このパレットに添付され、このパレットに収容された複数の建材についての建材情報が格納されたパレット用ＩＣタグと、
によって構成するようにしたものである。
【００１３】
(7)   本発明の第７の態様は、個々の建材ごとの建材情報を、物流機構を介して施工現場へと提供する建材情報提供方法において、
出荷場所で、個々の建材を当該建材に関する建材情報を書き込んだ建材用ＩＣタグを添付した状態で出荷する段階と、
物流拠点で、複数の建材を同一パレットに収容する作業を行う際に、当該パレットに収容される複数の建材のそれぞれについての建材用ＩＣタグ内の建材情報を読み出し、読み出した複数の建材情報をまとめてパレット用ＩＣタグに書き込み、パレットをパレット用ＩＣタグを添付した状態で施工現場へと搬出する段階と、
施工現場で、パレット用ＩＣタグ内の複数の建材情報を読み出す段階と、
を行うようにしたものである。
【００１４】
(8)   本発明の第８の態様は、上述の第７の態様に係る建材情報提供方法において、
物流拠点で、建材情報の読み出しが完了した建材用ＩＣタグを、建材から取り外し、これを出荷場所で再利用するようにしたものである。
【発明の効果】
【００１５】
本発明に係る建材情報提供システムおよび提供方法によれば、物流拠点で、同じパレットに収容される複数の建材のそれぞれについての建材用ＩＣタグ内の建材情報を読み出し、これをまとめてパレット用ＩＣタグに書き込むようにしたため、施工現場では、パレット用ＩＣタグからの情報を読み出す作業を行えばすみ、納品された個々の建材ごとの建材情報を、容易かつ正確に読み出すことが可能になる。
【発明を実施するための最良の形態】
【００１６】
以下、本発明を図示する実施形態に基づいて説明する。
【００１７】
＜＜＜  §１．本発明に係る建材情報提供方法  ＞＞＞
図１は、本発明に係る建材情報提供方法の流れを説明するためのブロック図である。この図で、出荷場所１０は、建材の出荷が行われる場所（たとえば、建材メーカーの工場や、流通業者の配送場所）を示しており、物流拠点２０は、個々の配送先ごとに建材の仕分けが行われる物流業者の一時保管場所を示しており、施工現場３０は、個々の建材が最終的に配送される目的地を示している。物流機構を介して配送されてきた個々の建材は、この施工現場３０において、建築対象物の一部品として利用されることになる。
【００１８】
本発明は、出荷場所１０において付加された個々の建材ごとの建材情報を、物流機構を介して施工現場３０へと提供する建材情報提供方法に係るものであり、その基本手順は次のとおりである。
【００１９】
まず、出荷場所１０において、個々の建材を出荷する際に、当該建材に関する建材情報を書き込んだ建材用ＩＣタグを添付した状態で出荷するようにする。たとえば、建材Ａを出荷する際には、図示のとおり、この建材Ａに建材用ＩＣタグＡＴを添付して出荷することになる。ＩＣタグには、メモリおよび必要に応じてＣＰＵを有するＩＣと外部に対する無線交信回路（アンテナを含む）とが組み込まれているので、外部から無線を利用して非接触状態で情報のやりとりを行うことができる。建材には、壁材、床材、天井材、建具、門扉、各種金具など、様々なものがあり、その形状や大きさは様々であるが、ＩＣタグに対しては無線によりデータの書き込みが可能であるので、無線交信に支障がなければ、建材用ＩＣタグは建材の任意の箇所に取り付けてかまわない。もちろん、ＩＣタグは、取り外し可能な態様で建材に添付することもできるし、建材に埋め込むようにして取り付けることもできる。また、カード型に成型したＩＣタグを用いるようにすれば、これを建材から取り外した際に、カードフォルダーなどに回収して保管することができるようになり便利である。
【００２０】
建材用ＩＣタグに書き込む建材情報としては、物流拠点２０や施工現場３０へと伝達することに意味をもつ情報であれば、どのような情報であってもかまわない。実用上は、たとえば、当該建材のメーカー名、製品名、型番、製造番号、ロット番号、数量、サイズ、発注番号、流通経路、納入先、出荷日、材質などを示す情報を、建材情報として、建材用ＩＣタグに書き込むようにすればよい。図１では、出荷場所１０から出荷された建材Ａに、建材情報ａが書き込まれた建材用ＩＣタグＡＴを添付して出荷する状態が示されている。建材情報ａは、建材Ａについてのメーカー名、製品名、型番などのデータを示している。
【００２１】
通常、同一の出荷場所から多数の建材が出荷されるとともに、複数の異なる出荷場所からもそれぞれ多数の建材が出荷され、物流拠点２０に集められる。図示の例では、建材情報ｂが書き込まれた建材用ＩＣタグＢＴが添付された建材Ｂおよび建材情報ｃが書き込まれた建材用ＩＣタグＣＴが添付された建材Ｃが、上述した建材Ａとともに、物流拠点２０に集められている。物流拠点２０では、こうして集まってきた個々の建材を受け入れた後、ピッキングと呼ばれている仕分け作業が行われる。通常は、同一の施工現場宛ての複数の建材が、同一のパレット内に収容される。物流用のパレットは、貨物の格納・運搬用の荷台というべきもので、建材を物理的に収容するための収容構造を備えている。
【００２２】
図１には、物流拠点２０に集められた３つの建材Ａ，Ｂ，Ｃが、同一のパレットＰに収容された状態が示されている。この例では、パレットＰは、同一の施工現場３０宛ての建材を収容する役割を果たす。３つの建材Ａ，Ｂ，Ｃには、それぞれ建材用ＩＣタグＡＴ，ＢＴ，ＣＴが添付されており、図示の例では、各建材はこれらのＩＣタグごとパレットＰに収容され、施工現場３０へと運搬されることになる。
【００２３】
本発明の特徴は、この物流拠点２０で、複数の建材Ａ，Ｂ，Ｃを同一パレットＰに収容する作業を行う際に、当該パレットＰに収容される複数の建材Ａ，Ｂ，Ｃのそれぞれについて、建材用ＩＣタグＡＴ，ＢＴ，ＣＴ内の建材情報ａ，ｂ，ｃを読み出し、読み出した複数の建材情報ａ，ｂ，ｃをまとめてパレット用ＩＣタグＰＴに書き込み、このパレット用ＩＣタグＰＴをパレットＰに添付した上で、パレットＰを施工現場３０へと搬出する点にある。いわば、個々の建材用ＩＣタグＡＴ，ＢＴ，ＣＴに書き込まれていた建材情報ａ，ｂ，ｃを、パレット用ＩＣタグＰＴ内に転記する作業が行われることになる。パレット用ＩＣタグＰＴは、個々の建材用ＩＣタグと同様に、メモリおよび必要に応じてＣＰＵを有するＩＣと外部に対する無線交信回路（アンテナを含む）とが組み込まれたタグであり、外部から無線を利用して非接触状態で情報のやりとりを行うことができる。したがって、このパレット用ＩＣタグＰＴは、無線交信に支障がなければ、パレットＰの任意の箇所に取り付けておいてかまわない。
【００２４】
もちろん、必要があれば、物流拠点２０において、建材用ＩＣタグＡＴ，ＢＴ，ＣＴから読み出した建材情報ａ，ｂ，ｃを、ピッキング作業に利用してもかまわない。また、物流拠点２０において、パレットＰを搬出する際に、パレット用ＩＣタグＰＴに転記された建材情報ａ，ｂ，ｃを読み取り、搬出物品の確認作業を行うこともできる。
【００２５】
さて、施工現場３０にパレットＰが搬入されると、従来は、パレットＰに収容されていた個々の建材Ａ，Ｂ，Ｃのそれぞれに添付されている建材用ＩＣタグＡＴ，ＢＴ，ＣＴから、建材情報ａ，ｂ，ｃを読み出す作業が行う必要があった。施工現場３０にて、建材情報ａ，ｂ，ｃを読み出すことにより、どの建材が現場に到着したのかを認識する物流管理の最終段階の作業を行うことができ、施工工事を進める前に、必要な建材がすべて揃ったかどうかを確認することができる。これは、人員手配や工程管理を行う上で非常に重要な事項である。
【００２６】
既に述べたように、ＩＣタグから情報を読み出す作業は、バーコードから情報を読み出す作業よりは容易である。バーコードの場合は、バーコードリーダを、個々のバーコード記録場所に当てて１つずつ読み取る作業を行う必要があるのに対し、ＩＣタグ用の読取装置は、複数のＩＣタグに対して非接触の状態で同時に無線交信することができるので、原理的には、パレットＰに収容されている建材Ａ，Ｂ，Ｃに添付されている建材用ＩＣタグＡＴ，ＢＴ，ＣＴから、建材情報ａ，ｂ，ｃを同時に読み出すことが可能である。
【００２７】
しかしながら、実際には、施工現場３０に搬入されるパレットＰには、非常にたくさんの建材が収容されており、このパレットＰに収容された個々の建材にそれぞれ添付された建材用ＩＣタグの情報をすべて漏れなく読み出すことは、困難な場合が少なくない。その理由は、施工現場３０で用いられるＩＣタグ用の情報読出装置は、通常、小型で安価なものが多く、パレットＰに収容されたままの状態あるいは施工現場３０という劣悪な環境下に積載された状態では、多数のＩＣタグの情報のすべてを正確に読み出すことが困難なためである。
【００２８】
本発明に係る方法では、このような問題は解決する。すなわち、本発明に係る方法では、施工現場３０において、個々の建材用ＩＣタグＡＴ，ＢＴ，ＣＴから建材情報ａ，ｂ，ｃを読み出す必要はない。これら建材情報ａ，ｂ，ｃは、パレット用ＩＣタグＰＴから読み出すことができるからである。パレット用ＩＣタグＰＴは、パレットＰの任意の箇所に取り付けられているが、取付場所がわかっていれば、作業者は、ＩＣタグ用の情報読出装置を、当該取付場所に接近させて動作させることができるので、それが小型で安価な読出装置であったとしても、パレット用ＩＣタグＰＴ内に書き込まれている建材情報ａ，ｂ，ｃのすべてを正確に読み出すことが可能である。こうして建材情報ａ，ｂ，ｃを読み出すことにより、パレットＰにて搬入された個々の建材を確認することができ、また、これら建材について必要な情報を得ることができる。
【００２９】
もちろん、パレット用ＩＣタグＰＴは、パレットＰに取り付けられているので、建材情報ａ，ｂ，ｃを読み出す作業を行う際には、パレットＰ内に個々の建材Ａ，Ｂ，Ｃが収容されている状態である必要はない。別言すれば、建材情報ａ，ｂ，ｃの読出作業は、パレットＰから個々の建材Ａ，Ｂ，Ｃを取り出した後に行っても何ら問題はない。個々の建材Ａ，Ｂ，Ｃに添付されていた建材用ＩＣタグＡＴ，ＢＴ，ＣＴは、そのまま建材に添付した状態で施工工事に用いてもよいし、施工工事前に取り外すようにしてもかまわない。
【００３０】
なお、本発明では、上述したように、建材情報ａ，ｂ，ｃは、物流拠点２０においてパレット用ＩＣタグＰＴに転記された状態になっているので、施工現場３０へパレットＰが搬入された時点において、各建材Ａ，Ｂ，Ｃに、建材用ＩＣタグＡＴ，ＢＴ，ＣＴが添付されている必要はない。そこで、物流拠点２０からパレットＰを搬出する前に、各建材用ＩＣタグＡＴ，ＢＴ，ＣＴを、個々の建材Ａ，Ｂ，Ｃから取り外してしまってもよい。このように、物流拠点２０で、建材情報の読み出しが完了した建材用ＩＣタグを、建材から取り外してしまうようにすれば、取り外した建材用ＩＣタグを、出荷場所１０へ戻して再利用することが可能になる。
【００３１】
ＩＣタグは、一度書き込んだ情報を書き換えることが可能であるので、物流拠点２０で取り外した建材用ＩＣタグは、出荷場所１０で問題なく再利用することができるようになる。このようなＩＣタグの再利用は、ＩＣタグの利用コストの低減を図るとともに、資源保護の観点からも有益である。もちろん、パレット用ＩＣタグＰＴについても再利用するのが好ましい。通常、役目を終えたパレットＰは、物流拠点２０へと回送されることになるので、物流拠点２０において、このパレット用ＩＣタグＰＴに、新たな情報を書き込むようにすれば、繰り返し使用することができる。
【００３２】
結局、パレットＰ自身は、建材を物理的に収容するための収容構造体として機能するだけであるが、このパレットＰに、収容されている複数の建材についての建材情報が格納されたパレット用ＩＣタグＰＴを添付することにより、このパレット用ＩＣタグＰＴ付きのパレットは、建材とともに建材情報を運搬するための建材運搬用具として機能することになる。
【００３３】
＜＜＜  §２．本発明に係る建材情報提供システム  ＞＞＞
図２は、本発明に係る建材情報提供システムの構成要素を示すブロック図であり、上述した方法を実施する上で、各場所ごとに必要な構成要素が、それぞれブロックで示されている。
【００３４】
まず、出荷場所１０には、建材Ａに添付する建材用ＩＣタグＡＴと、この建材用ＩＣタグＡＴに、建材情報ａを書き込む処理を行う建材情報書込装置１５が用意されている。建材情報書込装置１５は、ＩＣタグに対して無線交信し、所望の情報をＩＣタグ内に書き込む機能をもった装置である。この建材情報書込装置１５に対して与えられる建材情報ａは、前述したように、出荷対象となる建材Ａに関するメーカー名、製品名、型番、製造番号、発注番号、流通経路、宛先となる施工現場、出荷日、材質などの情報であり、このような建材情報ａが書き込まれた建材用ＩＣタグＡＴは、建材Ａに添付されて出荷されることになる。
【００３５】
一方、物流拠点２０には、複数の建材を収容するパレットＰに添付するためのパレット用ＩＣタグＰＴと、このパレット用ＩＣタグＰＴに情報を書き込むための建材情報中継装置２５が用意されている。この建材情報中継装置２５は、各建材用ＩＣタグから建材情報を読み出す機能も有している。この物流拠点２０には、多数の建材が集められることになるが、建材情報中継装置２５は、同一パレットＰに収容される複数の建材のそれぞれについての建材用ＩＣタグ内の建材情報を読み出し、これをまとめて、パレット用ＩＣタグＰＴに書き込む処理を実行する。図示の例では、３つの建材用ＩＣタグＡＴ，ＢＴ，ＣＴから、それぞれ建材情報ａ，ｂ，ｃを読み出し、これをまとめてパレット用ＩＣタグＰＴに書き込む状態が示されている。建材情報ａ，ｂ，ｃは、建材用ＩＣタグＡＴ，ＢＴ，ＣＴからパレット用ＩＣタグＰＴに転記されることになる。
【００３６】
なお、３つの建材用ＩＣタグＡＴ，ＢＴ，ＣＴからの建材情報ａ，ｂ，ｃの読み出しは、同時に行ってもよいし、１つずつ順に行ってもよい。また、パレット用ＩＣタグＰＴへの転記も、まとめて行ってもよいし、個々の建材情報ごとに１つずつ順に行ってもよい。あるいは、建材情報中継装置２５内に読み取った建材情報を、一度、サーバ装置などの別な装置に転送して一時的に保持しておき、必要な時点で、これをパレット用ＩＣタグＰＴへと複写するような作業を行ってもかまわない。
【００３７】
最後の施工現場３０には、パレット用ＩＣタグＰＴに書き込まれている複数の建材情報を読み出す建材情報読出装置３５が用意されている。図示の例では、この建材情報読出装置３５によって、建材情報ａ，ｂ，ｃが読み出された状態が示されている。建材情報読出装置３５は、個々の建材に添付されている建材用ＩＣタグＡＴ，ＢＴ，ＣＴからではなく、パレットＰに添付されているパレット用ＩＣタグＰＴから建材情報を読み出す処理を行えばよいので、比較的安価な装置によって構成されていても問題はない。
【００３８】
これに対して、物流拠点２０に用意される建材情報中継装置２５は、できるだけ読取精度が高く、また、読取感度を適宜調整できる装置を用いるのが好ましい。物流拠点２０は、通常、物流業者の一時保管倉庫に設けられるので高精度な建材情報中継装置２５を設置することが可能であり、また、読取作業を行う環境も、施工現場３０に比較すると良好である。
【００３９】
具体的には、建材情報中継装置２５としては、複数の建材用ＩＣタグと無線交信することにより建材情報を読み出す機能を有し、かつ、交信強度が所定レベル以上の建材用ＩＣタグを、同一パレットに収容される建材についてのＩＣタグと認識して、パレット用ＩＣタグＰＴへ転記する機能を有する装置を用いるのがよい。
【００４０】
図３は、このような機能をもった建材情報中継装置２５による建材情報の転記処理を示すブロック図である。この建材情報中継装置２５は、個々の建材に添付されている建材用ＩＣタグに格納された建材情報を中継するための装置であり、所定の無線交信範囲に存在する建材用ＩＣタグＡＴ，ＢＴ，ＣＴからそれぞれの建材情報ａ，ｂ，ｃを読み出す情報読出部２５Ｒと、特定のパレット用ＩＣタグＰＴに対して、情報読出部２５Ｒが読み出した複数の建材情報ａ，ｂ，ｃを書き込む情報書込部２５Ｗと、を備えている。
【００４１】
ここで、情報読出部２５Ｒは、所定の無線交信範囲に存在する建材用ＩＣタグＡＴ，ＢＴ，ＣＴに対してのみ交信し、建材情報ａ，ｂ，ｃを読み出すよう感度調整がなされている。図示の例では、建材用ＩＣタグＤＴ，ＥＴは、無線交信範囲外に置かれており、これらのＩＣタグから建材情報が読み出されることはない。これは、物流拠点２０に、多数のパレットが配置されていたとしても、隣接するパレットに収容された建材に添付されたＩＣタグの情報までも読み込まないようにするための配慮である。情報読出部２５Ｒの感度を適当に調整しておけば、建材情報中継装置２５の近傍のパレットに収容された建材に添付されている建材用ＩＣタグとのみ交信するように設定することができるので、当該パレットに収容されている建材についての建材情報のみを読み出し、これを当該パレットについてのパレット用ＩＣタグＰＴへ書き込むことが可能になる。
【００４２】
情報読出部２５Ｒの感度調節は、個々の物流拠点の環境や、転記処理の作業形態に応じて、適宜行えばよい。たとえば、隣接配置されるパレット間の距離が比較的離れている場合には、隣のパレット内のＩＣタグと誤交信する可能性は低いので、比較的感度を高く設定しても問題はない。また、前述したように、物流拠点２０において、個々の建材用ＩＣタグを取り外して再利用するような形態をとる場合は、通常、パレットに入れる前の段階で、個々の建材から建材用ＩＣタグを取り外すことになるので、取り外した建材用ＩＣタグをまとめて山のように積み上げ、この山に対して情報読出部２５Ｒによる読み取りを行えばよいので、読取感度の設定は比較的低くてもエラーは生じない。
【００４３】
＜＜＜  §３．本発明の変形例  ＞＞＞
続いて、本発明の変形例をいくつか述べておく。図４は、建材情報中継装置２５を省略した変形例を示すブロック図である。上述したように、建材情報中継装置２５は、複数の建材用ＩＣタグに格納されている建材情報を、パレット用ＩＣタグに転記する中継処理を行う構成要素であるが、複数の建材用ＩＣタグに格納されている建材情報を、パレット用ＩＣタグに複写することができるのであれば、建材情報中継装置２５は必ずしも必要ではない。
【００４４】
図４に示す変形例は、パレット用ＩＣタグＰＴに、自分自身で直接各建材用ＩＣタグＡＴ，ＢＴ，ＣＴと無線交信する機能をもたせ、建材情報中継装置２５を介さずに、直接、建材情報の複写が行われるようにした実施例である。すなわち、このパレット用ＩＣタグＰＴは、同一パレットに収容される建材のそれぞれについての建材用ＩＣタグと交信し、交信相手となった建材用ＩＣタグ内の建材情報を読み出し、読み出した複数の建材情報をまとめて自分自身に格納する処理を行うことになる。
【００４５】
この変形例においても、パレット用ＩＣタグＰＴは、交信強度が所定レベル以上の建材用ＩＣタグを、同一パレットに収容される建材についてのＩＣタグと認識し、当該建材用ＩＣタグに対してのみ交信を行うようにするのが好ましい。図示の例の場合、５つの建材用ＩＣタグＡＴ〜ＥＴが存在するが、パレット用ＩＣタグＰＴは、交信強度が所定レベル以上の建材用ＩＣタグＡＴ，ＢＴ，ＣＴに対してのみ交信を行い、建材情報ａ，ｂ，ｃを自分自身に格納する処理を行うことになる。建材用ＩＣタグＤＴ，ＥＴは、無線交信範囲外に置かれており、これらのＩＣタグから建材情報が読み出されることはない。これは、前述したとおり、隣接するパレットに収容された建材に添付されたＩＣタグの情報までも読み込まないようにするための配慮である。
【００４６】
この図４に示す実施例の場合、パレット用ＩＣタグＰＴに対して、外部から建材情報の転記コマンドを与えると、上述した処理が実行されるような仕組にしておけばよい。作業者は、特定のパレットＰに建材Ａ，Ｂ，Ｃを収容する作業を行った後、当該パレットＰに添付されているパレット用ＩＣタグＰＴに対して、転記コマンドを与えればよい。そうすると、パレット用ＩＣタグＰＴは、パレットＰに収容されている建材Ａ，Ｂ，Ｃに添付された建材用ＩＣタグＡＴ，ＢＴ，ＣＴと自動的に交信し、建材情報ａ，ｂ，ｃを自分自身に格納する複写処理を行うことになる。このとき、隣接するパレットに、建材Ｄ，Ｅが収容されていたとしても、建材用ＩＣタグＤＴ，ＥＴは無線交信範囲外に置かれているため、これらに格納されている建材情報ｄ，ｅが複写されることはない。
【００４７】
この他にも、本発明は種々の形態で実施可能である。たとえば、上述の実施形態では、物流拠点２０において、パレット用ＩＣタグＰＴ内には、各建材用ＩＣタグＡＴ，ＢＴ，ＣＴ内の建材情報ａ，ｂ，ｃをそのまま転記しただけであるが、このとき、付加的な情報を更に付け加えることも可能である。たとえば、物流拠点２０からパレットＰを搬出する時点で、施工現場３０へのパレットＰの納品日が特定できるような場合には、転記した建材情報ａ，ｂ，ｃに納品日に関する情報を付加して、パレット用ＩＣタグＰＴに書き込むようにしてもよい。施工現場３０では、出荷場所１０で書き込まれた情報だけでなく、物流拠点２０で追加された情報の提供を受けることができるようになる。
【００４８】
また、上述の実施形態では、施工現場３０に伝達すべき情報を、すべてＩＣタグ内のメモリに格納するようにしているが、大量の情報を伝達する必要がある場合には、伝達対象となる情報そのものをＩＣタグ内に格納する代わりに、何らかの識別コードをＩＣタグ内に格納するようにし、施工現場３０では、インターネットなどのオンライン環境を利用して当該識別コードをサーバにアップロードし、サーバから当該識別コードに対応したデータをダウンロードするという形式で、大量の情報の提供を受けることができるようにしてもかまわない。
【００４９】
本発明は、ＩＣタグを利用することを前提としているが、ＩＣタグとともにバーコードを併用するような方法をとってもかまわない。たとえば、バーコードラベルに貼り付けた形態のＩＣタグを用いるようにして、ＩＣタグとバーコードとを併用するようにすれば、万一、ＩＣタグ内の情報を読み出すことができないような場合でも、バーコードから情報を読み出すという代替手段をとることができるようになる。また、本発明で用いるＩＣタグは、その実施形態に応じて、ＣＰＵ内蔵タイプか非内蔵タイプかを適宜使い分けるようにするのが好ましい。たとえば、図３に示すように、建材情報中継装置２５を介在させる場合には、ＣＰＵ非内蔵型のＩＣタグを用いれば十分であるが（もちろん、内蔵型を用いてもよい）、図４に示すように、ＩＣタグ間で直接交信させる場合は、少なくとも一方のＩＣタグには、ＣＰＵ内蔵型を用いるようにすればよい。
【図面の簡単な説明】
【００５０】
【図１】本発明に係る建材情報提供方法の流れを説明するためのブロック図である。
【図２】本発明に係る建材情報提供システムの構成要素を示すブロック図である。
【図３】本発明に係る建材情報中継装置による建材情報の転記処理を示すブロック図である。
【図４】建材情報中継装置を省略した本発明の変形例を示すブロック図である。
【符号の説明】
【００５１】
１０…出荷場所
１５…建材情報書込装置
２０…物流拠点
２５…建材情報中継装置
２５Ｒ…情報読出部
２５Ｗ…情報書込部
３０…施工現場
３５…建材情報読出装置
Ａ〜Ｃ…建材
ａ〜ｃ…建材情報
ＡＴ〜ＥＴ…建材用ＩＣタグ
Ｐ…パレット
ＰＴ…パレット用ＩＣタグ
【図１】
2006099165.tif 000003
【図２】
2006099165.tif 000004
【図３】
2006099165.tif 000005
【図４】
2006099165.tif 000006